(57)【要約】【課題】強風下でもハンガーが片寄ったり落ちたりせず、その上ベランダなどの限られたスペースの中でも日のあたる面積をより多く確保し、風通しも良くして効率良く確実に洗濯物を乾かすことのできるハンガー掛けを提供すること。【解決手段】物干し竿３に外嵌される竿挿通部１０と、この竿挿通部１０の底部より時計回り方向に一定の角度をもって配された支え１９と、前記支え１９よりも長さが短く、竿挿通部の底部より反時計回り方向に、前記支え１９とは異なる角度をもって配された支え２０とを備え、ハンガー６を掛ける係止部４が長手方向に離間して一方の支え１９と他方の支え２０とに交互に複数個配されてなる。【選択図】図５
2006223784.tif 000002
【特許請求の範囲】
【請求項１】
物干し竿に外嵌される竿挿通部と、この竿挿通部の底部より時計回り方向に一定の角度をもって配された支えと、前記支えよりも長さが短く、竿挿通部の底部より反時計回り方向に、前記支えとは異なる角度をもって配された支えとを備え、ハンガーを掛ける係止部が長手方向に離間して一方の支えと他方の支えとに交互に複数個配されていることを特徴とする。
【発明の詳細な説明】
【技術分野】
【０００１】この発明は、物干し竿などに装着させ、洗濯物などを吊るしたハンガーを掛けるのに用いるハンガー掛けに関する。
【背景技術】
【０００２】主婦が洗濯物を乾かそうとする場合、物干し竿に直接洗濯物を干すこともあるが、物干し竿の長さを有効に活用すると共に、洗濯物の型崩れなどを防止するため、ハンガーを利用することも多い。このような場合、樹脂製や針金製のハンガーを利用するのが一般的であり、洗濯物の密着やハンガーの脱落を防ぐためにハンガー掛けを利用することがある。
【発明の開示】
【発明が解決しようとする課題】
【０００３】しかしながら、物干し竿に直接ハンガーを吊るすか、従来のハンガー掛けを使用した場合どちらもハンガーが同一線上に並ぶことになる。そのため、物干し竿の向きによっては隣り合う洗濯物の影になってしまい、洗濯物に日光が当たりにくくなることや、風が止んでいるときは隣り合う洗濯物の間に湿気がこもり易くなり、洗濯物がなかなか乾かないという問題点もあった。この発明はこれらの問題点に着目してなされたものであって、洗濯物を効率良く確実に乾かすことのできるハンガー掛けを提供することを目的とする。
【課題を解決するための手段】
【０００４】上記の目的を達成するため、この発明に係るハンガー掛けは、物干し竿に外嵌される竿挿通部と、この竿挿通部の底部より時計回り方向に一定の角度をもって配された支えと、前記支えよりも長さが短く、竿挿通部の底部より反時計回り方向に、前記支えとは異なる角度をもって配された支えとを備え、ハンガーを掛ける係止部が長手方向に離間して一方の支えと他方の支えとに交互に複数個配されていることを特徴とする。
【発明の効果】
【０００５】以上説明したように、この発明に係るハンガー掛けは、洗濯物を吊るしたハンガーを掛けるための貫通穴が、長手方向に離間して一方の支えと他方の支えに交互に形成されてなり、それぞれの支えは、長さと取り付けられる角度が異なるため、隣り合う洗濯物は垂直方向と水平方向にずれた位置に固定される。そのため洗濯物は日の当たる面積が大きくなると共に風の通りも改善される。これにより洗濯物を効率良く確実に乾かすことができる。
【発明を実施するための最良の形態】
【０００６】筒状の挿通部１０は、図１に示すように、円筒などの筒体が分離不能に形成される場合と、図２に示すように半円筒状に形成された半割部２Ａ、２Ｂと、これらを連結するヒンジ部１３とを一体成型により製作する場合とがある。【０００７】支え１９および支え２０は、竿挿通部１０の底部よりそれぞれ時計回り反時計回り方向にそれぞれの角度をもって伸びる部分であって、ハンガー６を掛ける係止部４が形成されているところである。支え１９の係止部４と、支え２０の係止部４とは互いに長手方向に離間して交互に複数個成型される。支え１９および支え２０は、図３に示すように全体が一枚の平板状に形成される場合と、図４に示すように、数個に分かれて形成されている場合とがある。
【実施例】
【０００８】以下、実施例に基づいて、この発明をさらに詳細に説明する。図５は本発明に係るハンガー掛け１の第１実施例の使用状態を図示したものであり、図６はハンガー掛け１を開けた状態を図示したものである。図５に示すように、この実施例のハンガー掛け１は２つの部材２Ａ、２Ｂがヒンジ結合されて、開閉自在に構成されている。そして、物干し竿３などを挿通させた状態で、２つの部材２Ａ、２Ｂを閉塞させて使用する。２つの部材２Ａ、２Ｂを閉塞させると、所定間隔の係止部４が形成されるので、この係止部４にハンガー６を掛ければ、洗濯物などを干すことが可能となる。ハンガーを掛けるための係止部４は、長手方向に離間して支え１９と支え２０に交互に複数個形成されている。また、支え１９と支え２０は、長さと取り付けられる角度が異なるため、隣り合う洗濯物は垂直方向と水平方向にずれた位置に固定される。【０００９】第１部材２Ａには、図６（ｂ）に示すように、ほぼ半円筒状に形成された竿挿通部１０と、ほぼ平板状に形成された支え１９とが連設され、第２部材２Ｂには半円筒状に形成された竿挿通部１０と、ほぼ平板状に形成された支え２０と係合部２２が連設されており、使用時には、竿挿通部１０に物干し竿３を挿通させた後、第１部材の被係合片２４と第２部材の係合片２３を係合させるようになっている。【００１０】図６（ａ）において、竿挿通部１０の左右には、内向き突出歯からなるズレ防止部１２が形成されている。このズレ防止部１２の端面は、図６（ｂ）に示すように、物干し竿３の外径に対応して円弧状形成されているので、使用時にはハンガー掛け１と物干し竿３が摩擦接触するようになっている。【００１１】以上の構成からなるハンガー掛け１を使用する場合には、竿挿通部１０に物干し竿３などを挿通した状態で、第１部材２Ａと第２部材２Ｂを閉塞させる。すると、係合片２３と被係合片２４とが係合するので、閉塞状態が確実に保持される。この状態において、洗濯物を吊るしたハンガー６を係止部４に引っ掛ければ、たとえ強風が吹いてきても、ハンガー６が外れたり、ハンガー同士が接触する恐れはない。その上、隣り合う洗濯物は垂直方向と水平方向にずれた位置に固定されるので、洗濯物に日光が当たりやすく、風の通りも良い。また、ズレ防止部１２は、物干し竿３と摩擦接触しているので、たとえ強風が吹いたとしても、ハンガー掛け１が物干し竿３の上をむやみに滑ることもない。【００１２】洗濯物が乾いたら、ハンガー掛け１からハンガー６を外して、洗濯物を取り込めば良い。また、物干し竿３からハンガー掛け１自体を外したい場合には、係合片２３を被係合片２４から外せば、第１部材２Ａと第２部材２Ｂの閉塞状態を解除することができる。
【図面の簡単な説明】
【図１】本発明のハンガー掛けの一実施例を示す斜視図である。
【図２】本発明のハンガー掛けの他の実施例を示す斜視図（ａ）と平面図（ｂ）と正面図（ｃ）である。
【図３】本発明のハンガー掛けの平面図（ａ）と正面図（ｂ）であり、支えの一例を示す。
【図４】本発明のハンガー掛けの平面図（ａ）と正面図（ｂ）であり、支えの他の例を示す。
【図５】本発明のハンガー掛けの第１実施例の使用状態を示す斜視図である。
【図６】図５のハンガー掛けの開けた状態を示す右側面図（ａ）、と開けた状態を示す正面図（ｂ）である。
【符号の説明】
１    ハンガー掛け
２Ａ  第１部材
２Ｂ  第２部材
３    物干し竿
４    係止部
１０  竿挿通部
１２  ズレ防止部
１３  ヒンジ部
１９  支え
２０  支え
２２  係合部
２３  係合片
２４  被係合片
【図１】
2006223784.tif 000003
【図２】
2006223784.tif 000004
【図３】
2006223784.tif 000005
【図４】
2006223784.tif 000006
【図５】
2006223784.tif 000007
【図６】
2006223784.tif 000008